(57)【要約】【課題】防水性を向上させることのできるコンセント取付構造を提供する。【解決手段】防水性を有する防水コンセント２０が構造物外板１１の外側面１２に取り付けられたコンセント取付構造１０である。電線１４を引き出すべく構造物外板１１に設けられた引出穴１３に対応する挿入穴３２ｂを有し、外側面１２に取り付けられているとともに防水コンセント２０が取り付けられた下地材３２と、引出穴１３を覆うように外側面１２と下地材３２との間に設けられた面状の第１防水部材３３と、第１防水部材３３を取り囲んで外側面１２と下地材３２との間に設けられた第２防水部材３４と、を備え、下地材３２は、第１防水部材３３および第２防水部材３４を圧縮しつつ外側面１２に取り付けられている。【選択図】図２
2018038104.tif 000002
【特許請求の範囲】
【請求項１】
防水性を有する防水コンセントが構造物外板の外側面に取り付けられたコンセント取付構造であって、
電線を引き出すべく前記構造物外板に設けられた引出穴に対応する挿入穴を有し、前記外側面に取り付けられているとともに前記防水コンセントが取り付けられた下地材と、
前記引出穴を覆うように前記外側面と前記下地材との間に設けられた面状の第１防水部材と、
前記第１防水部材を取り囲んで前記外側面と前記下地材との間に設けられた第２防水部材と、を備え、
前記下地材は、前記第１防水部材および前記第２防水部材を圧縮しつつ前記外側面に取り付けられていることを特徴とするコンセント取付構造。
【請求項２】
前記下地材は、平坦な板状を呈することを特徴とする請求項１に記載のコンセント取付構造。
【請求項３】
前記第１防水部材は、前記外側面に貼り付けられ、
前記第２防水部材は、前記下地材の周縁部に沿って前記下地材に貼り付けられていることを特徴とする請求項１または請求項２に記載のコンセント取付構造。
【請求項４】
前記下地材は、前記引出穴から挿入可能とされて前記構造物外板の内側面に設けられた裏受部材に、前記構造物外板を介してネジ部材で固定されていることを特徴とする請求項１から請求項３のいずれか１項に記載のコンセント取付構造。
【請求項５】
前記ネジ部材は、前記第１防水部材と前記第２防水部材との間に設けられていることを特徴とする請求項４に記載のコンセント取付構造。
【請求項６】
前記下地材には、前記電線と前記挿入穴との間を封じる第３防水部材が設けられていることを特徴とする請求項１から請求項５のいずれか１項に記載のコンセント取付構造。
【請求項７】
防水性を有する防水コンセントを構造物外板の外側面に取り付けるコンセント取付方法であって、
電線を引き出す引出穴を前記構造物外板に設ける工程と、
前記引出穴を覆うように面状の第１防水部材を前記外側面に貼り付ける工程と、
前記引出穴に対応する挿入穴が設けられ前記外側面に取り付けられるとともに前記防水コンセントが取り付けられる下地材を、その周縁部に沿って貼り付けられた第２防水部材で前記第１防水部材を取り囲む位置関係として前記外側面に宛がう工程と、
前記第１防水部材および前記第２防水部材を圧縮させつつ前記下地材を前記外側面に取り付ける工程と、を含むことを特徴とするコンセント取付方法。
【請求項８】
請求項７に記載のコンセント取付方法であって、
さらに、裏受部材を前記引出穴から挿入して前記構造物外板の内側面に固定する工程と、
前記構造物外板を介して前記下地材を前記裏受部材にネジ部材で固定する工程と、を含むことを特徴とするコンセント取付方法。
【請求項９】
防水性を有する防水コンセントを構造物外板の外側面に取り付けるための下地材であって、
平坦な板状を呈し、
電線を引き出すべく前記構造物外板に設けられた引出穴に対応する挿入穴と、
前記防水コンセントを取り付ける第１ネジ部材のねじ込みによる固定が可能な固定ネジ穴と、
前記下地材を前記外側面に取り付ける第２ネジ部材を通すことが可能な取付ネジ穴と、を備えることを特徴とする下地材。
【発明の詳細な説明】
【技術分野】
【０００１】
本発明は、構造物外板の外側面に防水コンセントを取り付けるコンセント取付構造、コンセント取付方法および下地材に関する。
【背景技術】
【０００２】
建物の壁等を構成する構造物外板の外側面にコンセントを設けるために、差込プラグが設けられて防水性を有する防水コンセントを用いることが考えられている（特許文献１、２、３参照）。これらの防水コンセントは、電線を引き出すべく構造物外板に設けた引出穴を取り囲む環状のパッキンを設ける取付構造とすることで、引出穴の防水性を得ている。
【先行技術文献】
【特許文献】
【０００３】
【特許文献１】特開平０９−２９１６１３号公報
【特許文献２】特開２０１３−７０４８４号公報
【特許文献３】特開平０１−１６０３０７号公報
【発明の概要】
【発明が解決しようとする課題】
【０００４】
しかしながら、上記した各防水コンセントは、建物等の構造物から電線を引くために構造物外板を貫通させて引出穴を設けるので、防水性を向上させる観点から改良の余地がある。
【０００５】
本発明は、上記の事情に鑑みて為されたもので、防水性を向上させることのできるコンセント取付構造、コンセント取付方法および下地材を提供することを目的とする。
【課題を解決するための手段】
【０００６】
上記した目的を達成するために、本発明のコンセント取付構造は、防水性を有する防水コンセントが構造物外板の外側面に取り付けられたコンセント取付構造であって、電線を引き出すべく前記構造物外板に設けられた引出穴に対応する挿入穴を有し、前記外側面に取り付けられているとともに前記防水コンセントが取り付けられた下地材と、前記引出穴を覆うように前記外側面と前記下地材との間に設けられた面状の第１防水部材と、前記第１防水部材を取り囲んで前記外側面と前記下地材との間に設けられた第２防水部材と、を備え、前記下地材は、前記第１防水部材および前記第２防水部材を圧縮しつつ前記外側面に取り付けられていることを特徴とする。
【０００７】
ここで、前記下地材は、平坦な板状を呈する構成とすることができる。また、前記第１防水部材は、前記外側面に貼り付けられ、前記第２防水部材は、前記下地材の周縁部に沿って前記下地材に貼り付けられている構成とすることができる。さらに、前記下地材は、前記引出穴から挿入可能とされて前記構造物外板の内側面に設けられた裏受部材に、前記構造物外板を介してネジ部材で固定されている構成としてもよい。加えて、前記ネジ部材は、前記第１防水部材と前記第２防水部材との間に設けられている構成とすることができる。また、前記下地材には、前記電線と前記挿入穴との間を封じる第３防水部材が設けられている構成としてもよい。
【０００８】
そして、本発明のコンセント取付方法は、防水性を有する防水コンセントを構造物外板の外側面に取り付けるコンセント取付方法であって、電線を引き出す引出穴を前記構造物外板に設ける工程と、前記引出穴を覆うように面状の第１防水部材を前記外側面に貼り付ける工程と、前記引出穴に対応する挿入穴が設けられ前記外側面に取り付けられるとともに前記防水コンセントが取り付けられる下地材を、その周縁部に沿って貼り付けられた第２防水部材で前記第１防水部材を取り囲む位置関係として前記外側面に宛がう工程と、前記第１防水部材および前記第２防水部材を圧縮させつつ前記下地材を前記外側面に取り付ける工程と、を含むことを特徴とする。ここで、さらに、裏受部材を前記引出穴から挿入して前記構造物外板の内側面に固定する工程と、前記構造物外板を介して前記下地材を前記裏受部材にネジ部材で固定する工程と、を含むものであってもよい。
【０００９】
本発明の下地材は、防水性を有する防水コンセントを構造物外板の外側面に取り付けるための下地材であって、平坦な板状を呈し、電線を引き出すべく前記構造物外板に設けられた引出穴に対応する挿入穴と、前記防水コンセントを取り付ける第１ネジ部材のねじ込みによる固定が可能な固定ネジ穴と、前記下地材を前記外側面に取り付ける第２ネジ部材を通すことが可能な取付ネジ穴と、を備えることを特徴とする。
【発明の効果】
【００１０】
このように構成された本発明のコンセント取付構造は、下地材の外方から外側面との間を経る経路において、第２防水部材と第１防水部材とを二重に配しているので、防水性を向上させることができる。
【００１１】
ここで、前記下地材は、平坦な板状を呈する構成であれば、第１防水部材および第２防水部材を確実にかつ均等に圧縮させることができる。また、前記第１防水部材は、前記外側面に貼り付けられ、前記第２防水部材は、前記下地材の周縁部に沿って前記下地材に貼り付けられている構成であれば、第１防水部材で外側面との間をかつ第２防水部材で下地材との間をより確実に封じることができ、防水性をより向上させることができる。
【００１２】
さらに、前記下地材は、前記引出穴から挿入可能とされて前記構造物外板の内側面に設けられた裏受部材に、前記構造物外板を介してネジ部材で固定されている構成であれば、直接取り付けたのでは強度が不足する虞のある構造物外板に対しても、その外側面に後付けで防水コンセントを適切な強度で設けることができる。加えて、前記ネジ部材は、前記第１防水部材と前記第２防水部材との間に設けられている構成であれば、ネジ部材で下地材を固定することに起因して防水性が低下することを防止できる。また、前記下地材には、前記電線と前記挿入穴との間を封じる第３防水部材が設けられている構成であれば、挿入穴が経路となり防水性が低下することを防止できる。
【００１３】
そして、本発明のコンセント取付方法は、防水性を向上させるべく第２防水部材と第１防水部材とを二重に配することを容易にできる。さらに、裏受部材を前記引出穴から挿入して前記構造物外板の内側面に固定する工程と、前記構造物外板を介して前記下地材を前記裏受部材にネジ部材で固定する工程と、を含むものであれば、構造物外板の外側面に後付けで防水コンセントを適切な強度で設けることができる。
【００１４】
さらに、本発明の下地材は、第１防水部材および第２防水部材を確実にかつ均等に圧縮させることができ、防水性をより向上させることができる。また、下地材は、第１防水部材および第２防水部材を介在させつつ取付ネジ穴を通した第２ネジ部材で外側面に取り付け、かつ挿入穴と電線との間を封じることで、引出穴のより確実な防水性を得ることができる。さらに、下地材は、固定ネジ穴に第１ネジ部材をねじ込むことで、引出穴の防水性を確保しつつ汎用の防水コンセントを取り付けることができる。
【図面の簡単な説明】
【００１５】
【図１】本発明に係るコンセント取付構造の一実施形態に係る一例としてのコンセント取付構造を示す模式的な斜視図である。
【図２】コンセント取付構造を図１のＩ−Ｉ線に沿う断面で示す説明図である。
【図３】構造物外板に引出穴を設ける工程を示す斜視図である。
【図４】裏受部材を設ける工程を示す斜視図である。
【図５】外側面に第１防水部材を設ける工程を示す斜視図である。
【図６】下地材に第２防水部材を設ける工程を示す押当面側から見た平面図である。
【図７】外側面に下地材を取り付ける工程を示す斜視図である。
【図８】下地材に取付枠を固定する工程を示す斜視図である。
【図９】コンセント本体およびコンセントカバーを取り付ける工程を示す斜視図である。
【発明を実施するための形態】
【００１６】
以下に、本発明に係るコンセント取付構造の一例としてのコンセント取付構造１０の実施例１について図面を参照しつつ説明する。なお、図２は、コンセント取付構造１０の理解を容易とすべく防水コンセント２０を断面ではなく側方から見た様子で示す。また、図６では、コンセント取付構造１０の理解を容易とすべく引出穴１３および第１防水部材３３の位置関係を二点鎖線で示す。
【実施例１】
【００１７】
本発明に係るコンセント取付構造の一実施形態に係る実施例１のコンセント取付構造１０を、図１から図９を用いて説明する。コンセント取付構造１０は、建物等の構造物における壁等を構成する構造物外板１１の外側面１２に、防水コンセント２０を取り付けるための構造である。特に、実施例１のコンセント取付構造１０は、既に構築された建物の壁としての構造物外板１１の外側面１２に、後付けで防水コンセント２０を取り付けることを可能とする。
【００１８】
その防水コンセント２０は、図９に示すように、コンセント本体２１とコンセントカバー２２と取付枠２３とを有する。そのコンセント本体２１は、防水性を確保しつつ差込プラグを収容する箱状を呈し、取付枠２３への固定のための取付ネジ部材２４の受け入れが可能な２つの固定ネジ穴２１ａを有する。コンセント本体２１は、取付枠２３に対向される裏面に、構造物外板１１の後述する引出穴１３から引き出した電線１４（その後述するＶＶＦ電線１４ａの各心線１４ｃおよびＩＶ電線１４ｂ）を差込プラグに接続させるべく差し込みを可能とする接続穴２１ｂ（図２参照）を有する。コンセントカバー２２は、コンセント本体２１の上方を覆うもので、嵌め込みによりコンセント本体２１に取り付けられる。
【００１９】
取付枠２３は、コンセント本体２１を構造物外板１１の外側面１２に取り付けるべく後述する下地材３２に取り付けるもので、矩形の枠状を呈し、一対の固定ネジ穴２３ａと一対の取付ネジ穴２３ｂと中空部２３ｃとが設けられている。その両固定ネジ穴２３ａは、取付枠２３を下地材３２に固定する第１ネジ部材４１を受け入れ可能であり、上下で対を為している。両取付ネジ穴２３ｂは、コンセント本体２１を取付枠２３に取り付ける取付ネジ部材２４のねじ込みによる固定が可能であり、両固定ネジ穴２３ａよりも外側において上下で対を為している。中空部２３ｃは、構造物外板１１の引出穴１３から引き出した電線１４を通すことを可能とする。
【００２０】
コンセント取付構造１０は、図２に示すように、構造物外板１１の引出穴１３から引き出した電線１４をコンセント本体２１の接続穴２１ｂに接続しつつ、防水コンセント２０を構造物外板１１の外側面１２に取り付ける。その引出穴１３は、図３に示すように、電線１４を引き出すことを可能とすべく構造物外板１１に設けられ、実施例１では一例として直径５０ｍｍの円柱形状を呈する。電線１４は、防水コンセント２０に電力を供給するもので、実施例１では一例として電源用の２心のＶＶＦ電線１４ａとアース用のＩＶ電線１４ｂとを有する。コンセント取付構造１０は、裏受部材３１と下地材３２と第１防水部材３３と第２防水部材３４と第３防水部材３５と第４防水部材３６とを備える。
【００２１】
裏受部材３１は、図２および図４に示すように、下地材３２の構造物外板１１への取り付け強度を確保すべく設けるもので、引出穴１３から挿入可能な大きさ（寸法）の板状部材が２つ用いられる。各裏受部材３１は、実施例１では一例として合板が用いられ、長さを１００ｍｍ、幅を４２ｍｍ、厚さを１２ｍｍとして引出穴１３からの挿入を可能とする。各裏受部材３１は、引出穴１３から挿入されて、引出穴１３の上下で対を為すように構造物外板１１の内側面１５に取り付けられる。
【００２２】
下地材３２は、図２、図７および図８に示すように、防水コンセント２０を構造物外板１１に固定すべく外側面１２に取り付けられるもので、防水コンセント２０の取付枠２３の固定が可能とされる。この下地材３２は、押当面３２ａを構造物外板１１の外側面１２に宛がった状態において、後述するように第１防水部材３３を取り囲む第２防水部材３４を完全に覆うことのできる大きさ（寸法）とされる。下地材３２は、実施例１では、金属材料からなる平坦な矩形状の板状部材であり、一例としてステンレス鋼材から為る。この下地材３２は、挿入穴３２ｂと一対の固定ネジ穴３２ｃと４つの取付ネジ穴３２ｄとが設けられている。挿入穴３２ｂは、引出穴１３に対応しつつその引出穴１３よりも小さな径寸法とされ、後述するように電線１４を通した第３防水部材３５を嵌め込むことが可能とされる。両固定ネジ穴３２ｃは、取付枠２３の両固定ネジ穴２３ａに対応すべく上下で対を為して設けられ、取付枠２３の下地材３２への固定のための第１ネジ部材４１のねじ込みによる固定が可能とされる。４つの取付ネジ穴３２ｄは、後述するように下地材３２の周縁部３２ｅに沿って設けられる第２防水部材３４の内側における下地材３２の４隅の近傍に設けられ（図６参照）、下地材３２の構造物外板１１（その外側面１２）への固定のための第２ネジ部材４２を通すことが可能とされる。
【００２３】
第１防水部材３３は、図２、図５等に示すように、構造物外板１１（その外側面１２）と下地材３２との間で引出穴１３の防水性を得るもので、引出穴１３の周縁を覆うように外側面１２と下地材３２との間に設けられる。この第１防水部材３３は、防水性を有する弾性部材で面状に形成され、一例としてＥＰＤＭ（エチレンプロピレンゴム）発泡体で形成する。第１防水部材３３は、薄板な矩形状を呈し、中央に下地材３２の挿入穴３２ｂに対応する挿入穴３３ａが設けられている。第１防水部材３３は、一方の取付面３３ｂに粘着層が設けられ、その取付面３３ｂが外側面１２における引出穴１３の周囲に貼り付けられて、外側面１２に設けられる（図２参照）。
【００２４】
第２防水部材３４は、図２、図６等に示すように、構造物外板１１（その外側面１２）と下地材３２との間における第１防水部材３３の外側で引出穴１３の防水性を得るもので、下地材３２の周縁部３２ｅに沿いつつ外側面１２と下地材３２との間に設けられる。この第２防水部材３４は、防水性を有する弾性部材で形成され、一例として特殊軟質ポリウレタンで形成する。第２防水部材３４は、長尺な帯状を呈し、周縁部３２ｅの全周に亘る環状とされて設けられる。第２防水部材３４は、一方の取付面３４ａに粘着層が設けられ、その取付面３４ａが下地材３２の押当面３２ａの周縁部３２ｅに貼り付けられて下地材３２の押当面３２ａに設けられる（図２参照）。この第２防水部材３４は、外側面１２に直交する方向から見て、第１防水部材３３とは重なることなく当該第１防水部材３３を取り囲む位置関係とされる。
【００２５】
ここで、外側面１２に直交する方向から見て、第１防水部材３３が略正方形とされかつ下地材３２が略長方形とされているので、第１防水部材３３の上下には第２防水部材３４との間に隙間が生じる。そして、下地材３２では、当該隙間に各固定ネジ穴３２ｃと各取付ネジ穴３２ｄとが設けられている。このため、各固定ネジ穴３２ｃに対応する第１ネジ部材４１と、各取付ネジ穴３２ｄに対応する第２ネジ部材４２と、は、第１防水部材３３と第２防水部材３４との間に位置される。
【００２６】
第３防水部材３５は、図２、図９等に示すように、下地材３２の挿入穴３２ｂに通される電線１４と当該挿入穴３２ｂとの間の防水性を得るもので、電線１４を受け入れつつ挿入穴３２ｂに嵌め入れられて設けられる所謂ブッシングである。この第３防水部材３５は、一例としてゴム材料で形成されたゴムブッシングであり、筒状を呈する筒状部３５ａと、その一端を閉じるフランジ部３５ｂと、を有する。筒状部３５ａは、挿入穴３２ｂに嵌め入れ可能とされるとともに、内方に電線１４（ＶＶＦ電線１４ａおよびＩＶ電線１４ｂ）を受け入れることが可能とされる。フランジ部３５ｂは、下地材３２における挿入穴３２ｂの周縁部に宛がうことが可能とされた板状を呈し、内側にＶＶＦ電線１４ａの各心線１４ｃおよびＩＶ電線１４ｂの嵌め入れを可能とする３つ電線穴３５ｃが設けられる。第３防水部材３５は、両心線１４ｃおよびＩＶ電線１４ｂを対応する電線穴３５ｃに嵌め入れて電線１４を取り付けた状態で、挿入穴３２ｂに筒状部３５ａを嵌め入れつつフランジ部３５ｂを挿入穴３２ｂの周縁部に宛がうことで、挿入穴３２ｂと電線１４との間を充填して封じる。
【００２７】
第４防水部材３６は、図２、図８等に示すように、下地材３２と取付枠２３との間で下地材３２の対応する固定ネジ穴３２ｃの防水性を得るもので、各固定ネジ穴３２ｃを取り囲みつつ下地材３２と取付枠２３との間に設けられる。この第４防水部材３６は、一例としてゴム材料で形成された防水材であり、薄板な円形状を呈し、中央に固定ネジ穴３２ｃに対応する挿入穴３６ａが設けられている。挿入穴３６ａは、固定ネジ穴３２ｃにねじ込まれる第１ネジ部材４１を嵌め入れることが可能な径寸法とされる。第４防水部材３６は、取付枠２３の対応する固定ネジ穴２３ａに通した第１ネジ部材４１を挿入穴３６ａに通すことで、下地材３２と取付枠２３との間に設けられる。
【００２８】
次に、実施例１のコンセント取付構造１０とするコンセント取付方法について説明する。実施例１では、既に構築された構造物外板１１の外側面１２に、後付けで防水コンセント２０を取り付ける場面におけるコンセント取付方法について述べる。
【００２９】
先ず、図３に示すように、構造物外板１１に引出穴１３を設ける工程を行う。この工程では、構造物外板１１の外側面１２にタイルが設けられている場合には、例えばダイヤモンドカッター等を用いて先にタイルを取り除く。そして、実施例１の当該工程では、一例としてホルソー４３（穴をあける切削ビット）を取り付けた電動ドリル４４を用いて、構造物外板１１に引出穴１３を設ける。
【００３０】
次に、図４に示すように、裏受部材３１を構造物外板１１の内側面１５に取り付ける工程を行う。この工程では、裏受部材３１を引出穴１３から挿入し、それを引出穴１３の上方または下方で内側面１５に宛がった状態で、外側面１２側から構造物外板１１に第３ネジ部材４５をねじ込むことで、各裏受部材３１を内側面１５に取り付ける。実施例１の当該工程では、一例として、一方の手で裏受部材３１を内側面１５に宛がいつつ、電動ドリル４４を用いて外側面１２側から構造物外板１１に第３ネジ部材４５をねじ込む。実施例１のこの工程では、ねじ込む前の第３ネジ部材４５の全長に亘りコーキング材を塗り付けて、コーキングを施す。このコーキング材は、実施例１では一例として変成シリコン系のものを用いる。実施例１の当該工程では、各裏受部材３１に対して左右で一対の第３ネジ部材４５をねじ込み、後述するようにねじ込む４つの第２ネジ部材４２よりも左右方向の外側の位置で対応する裏受部材３１を固定する。
【００３１】
次に、図５に示すように、第１防水部材３３を構造物外板１１の外側面１２に設ける工程を行う。この工程では、先ず引出穴１３から電線１４を引き出す。当該工程では、その電線１４を挿入穴３３ａに通した状態で、引出穴１３の周縁を覆うように外側面１２に第１防水部材３３の取付面３３ｂを貼り付ける。その後、実施例１のこの工程では、外側面１２における第１防水部材３３の周辺において、ウェス等を用いて汚れを取り、上記したコーキング材に対応するプライマー（下塗り材）を用いてプライマー処理を行う。そして、当該工程では、第１防水部材３３の全周に亘る外側面１２との間に上記したコーキング材４６を塗り付けて、コーキングを施す。
【００３２】
次に、図６に示すように、第２防水部材３４を下地材３２に取り付ける工程を行う。この工程では、下地材３２の押当面３２ａの周縁部３２ｅの全周に亘り取付面３４ａを貼り付けることで、第１防水部材３３を取り囲む位置関係で第２防水部材３４を下地材３２の押当面３２ａに貼り付ける。なお、この工程は、予め押当面３２ａに第２防水部材３４が貼り付けられた下地材３２を用いる場合には省略できる。
【００３３】
次に、図７に示すように、下地材３２を構造物外板１１の外側面１２に宛がう工程を行う。この工程では、下地材３２の挿入穴３２ｂに電線１４を通した状態で、その挿入穴３２ｂの中心と構造物外板１１の引出穴１３の中心とを一致させるように下地材３２の押当面３２ａを外側面１２に宛がう（配置する）。すると、押当面３２ａに取り付けた第２防水部材３４で外側面１２に取り付けた第１防水部材３３を取り囲む位置関係となり、その第１防水部材３３および第２防水部材３４が下地材３２と外側面１２（構造物外板１１）との間に介在される。
【００３４】
次に、図７に示すように、下地材３２を構造物外板１１の外側面１２に取り付ける工程を行う。この工程では、上記したように下地材３２を外側面１２に宛がった状態において、上記したコーキング材を塗り付けた４つの第２ネジ部材４２を、対応する取付ネジ穴３２ｄを通して外側面１２側から構造物外板１１にねじ込む。これにより、下地材３２は、コーキングを施した第２ネジ部材４２により、第１防水部材３３および第２防水部材３４を圧縮しつつ外側面１２に取り付けられる。
【００３５】
次に、図８に示すように、取付枠２３を下地材３２に固定する工程を行う。この工程では、電線１４を取付枠２３の中空部２３ｃに通すとともに下地材３２との間に各第４防水部材３６を配した状態で、取付枠２３を下地材３２に宛がう。このとき、下地材３２の各固定ネジ穴３２ｃと、各第４防水部材３６の挿入穴３６ａと、取付枠２３の各固定ネジ穴２３ａと、の中心を互いに一致させる。そして、当該工程では、上記したコーキング材を塗り付けた２つの第１ネジ部材４１を、対応する固定ネジ穴２３ａおよび挿入穴３６ａに通して対応する固定ネジ穴３２ｃにねじ込む。これにより、取付枠２３は、コーキングを施した第１ネジ部材４１により、下地材３２に固定される。
【００３６】
次に、図９に示すように、コンセント本体２１およびコンセントカバー２２を取り付ける工程を行う。この工程では、先ず構造物外板１１の引出穴１３から引き出して下地材３２の挿入穴３２ｂに通した電線１４の両心線１４ｃおよびＩＶ電線１４ｂを各電線穴３５ｃに嵌め入れて、電線１４に第３防水部材３５を取り付ける。その後、当該工程では、各電線穴３５ｃを通した両心線１４ｃおよびＩＶ電線１４ｂを、コンセント本体２１の接続穴２１ｂに差し込んで差込プラグに接続させる（図２参照）。そして、この工程では、筒状部３５ａを下地材３２の挿入穴３２ｂに嵌め入れつつフランジ部３５ｂを挿入穴３２ｂの周縁部に宛がって、第３防水部材３５を挿入穴３２ｂに取り付ける（図２参照）。このとき、実施例１では、筒状部３５ａの周りに上記したコーキング材を塗り付けることで、第３防水部材３５と挿入穴３２ｂとの間にコーキングを施す。その後、当該工程では、コンセント本体２１の各固定ネジ穴２１ａに通した２つの取付ネジ部材２４を、取付枠２３の対応する取付ネジ穴２３ｂにねじ込むことで、コンセント本体２１を取付枠２３に固定する。そして、この工程では、コンセント本体２１にコンセントカバー２２を嵌め込みにより取り付ける。実施例１の当該工程では、取り付けたコンセントカバー２２の上縁部および両側縁部と外側面１２との間に、上記したコーキング材４７を塗り付けてコーキングを施す（図１参照）。
【００３７】
このように、コンセント取付方法は、上述した各工程により、防水コンセント２０を構造物外板１１の外側面１２に、上記した構成のコンセント取付構造１０として後付けで取り付けることができる。
【００３８】
本発明に係るコンセント取付構造の一実施例のコンセント取付構造１０およびコンセント取付方法は、以下の各作用効果を得ることができる。
【００３９】
コンセント取付構造１０は、構造物外板１１の外側面１２とそこに取り付けられる下地材３２との間において、引出穴１３を覆う面状の第１防水部材３３と、それを取り囲む第２防水部材３４と、が圧縮されて設けられている。このため、コンセント取付構造１０は、下地材３２の外方から外側面１２との間を経る経路において、第２防水部材３４と第１防水部材３３との２つの防水部材を配しているので、引出穴１３のより確実な防水性を得ることができ、防水性を向上させることができる。また、コンセント取付構造１０は、第１防水部材３３が引出穴１３の周縁を覆う面状を呈するので、封ずる領域を広げることができ、防水性を向上させることができる。特に、コンセント取付構造１０は、第１防水部材３３の全周に亘る外側面１２との間にコーキングを施している（コーキング材４６）ので、防水性をより向上させることができる。
【００４０】
また、コンセント取付構造１０は、下地材３２を平坦な板状としているので、その平坦面とされた押当面３２ａが外側面１２との間で第１防水部材３３および第２防水部材３４を確実にかつ均等に圧縮させることができ、防水性をより向上させることができる。
【００４１】
さらに、コンセント取付構造１０は、第１防水部材３３が外側面１２に貼り付けられ、かつ第２防水部材３４が下地材３２に貼り付けられている。このため、コンセント取付構造１０は、下地材３２の外方から外側面１２との間を経る経路において、第１防水部材３３が外側面１２との間をより確実に封じかつ第２防水部材３４が下地材３２との間をより確実に封じることができ、防水性をより向上させることができる。また、コンセント取付構造１０は、第１防水部材３３が引出穴１３を覆い、かつ第２防水部材３４が第１防水部材３３を取り囲む位置関係とすることを、容易にできる。
【００４２】
コンセント取付構造１０は、引出穴１３から挿入して構造物外板１１の内側面１５に設けられた裏受部材３１に、構造物外板１１を介して第２ネジ部材４２で固定されて下地材３２が外側面１２に設けられている。このため、コンセント取付構造１０は、直接取り付けたのでは強度が不足する虞のある構造物外板１１に対しても、その外側面１２に後付けで防水コンセント２０を適切な強度で設けることができる。
【００４３】
コンセント取付構造１０は、各第２ネジ部材４２が下地材３２における第１防水部材３３と第２防水部材３４との間に設けられているので、各第２ネジ部材４２が第１防水部材３３や第２防水部材３４の防水性を低下させることや、各第２ネジ部材４２の周囲が経路となり防水性が低下することを防止できる。特に、実施例１のコンセント取付構造１０は、各第２ネジ部材４２にコーキングを施しているので、各第２ネジ部材４２の周囲が水みちとなることより確実に防止できる。これらのことは、取付枠２３を下地材３２に固定すべく下地材３２の各固定ネジ穴３２ｃにねじ込む各第１ネジ部材４１でも同様であり、防水性をより向上させることができる。
【００４４】
コンセント取付構造１０は、下地材３２の挿入穴３２ｂとそこを通す電線１４との間が第３防水部材３５により封じられているので、挿入穴３２ｂが経路となり防水性が低下することを防止できる。特に、実施例１のコンセント取付構造１０は、第３防水部材３５と挿入穴３２ｂとの間にコーキングを施しているので、この間での防水性をより向上させることができる。
【００４５】
コンセント取付構造１０は、各第１ネジ部材４１に対応させて、取付枠２３と下地材３２との間に第４防水部材３６が設けられている。このため、コンセント取付構造１０は、取付枠２３の各固定ネジ穴２３ａを経て引出穴１３へと至る経路を封じることができ、防水性をより向上させることができる。加えて、コンセント取付構造１０は、取付枠２３に取り付けたコンセント本体２１に嵌め込んだコンセントカバー２２の上縁部および両側縁部と外側面１２との間にコーキングを施している（コーキング材４７）ので、この間での防水性を得ることができる。
【００４６】
コンセント取付方法は、上記した各工程を行うので、外側面１２と下地材３２との間において、引出穴１３を覆うように第１防水部材３３を設けることと、その第１防水部材３３を取り囲んで第２防水部材３４を設けることと、それらを圧縮させることと、を容易にできる。また、コンセント取付方法は、引出穴１３から裏受部材３１を挿入して構造物外板１１の内側面１５に設けるので、構造物外板１１の外側面１２に後付けで防水コンセント２０を適切な強度で設けることができる。
【００４７】
下地材３２は、平坦な板状を呈することで押当面３２ａが平坦面とされているので、その押当面３２ａと外側面１２との間に第１防水部材３３および第２防水部材３４を配することで、それらを確実にかつ均等に圧縮させることができ、防水性をより向上させることができる。また、下地材３２は、防水コンセント２０を取り付ける第１ネジ部材４１のねじ込みによる固定が可能な固定ネジ穴３２ｃと、自らを外側面１２に取り付ける第２ネジ部材４２を通すことが可能な取付ネジ穴３２ｄと、を別々に設けている。このため、下地材３２は、第１防水部材３３および第２防水部材３４を介在させつつ取付ネジ穴３２ｄを通した第２ネジ部材４２で外側面１２に取り付け、かつ挿入穴３２ｂと電線１４との間を第３防水部材３５で封じることで、引出穴１３のより確実な防水性を得ることができる。そして、下地材３２は、固定ネジ穴３２ｃに第１ネジ部材４１をねじ込むことで、防水コンセント２０（その取付枠２３）を取り付けることができるので、引出穴１３の防水性を確保しつつ汎用の防水コンセント（２０）を取り付けることができる。これらのことから、下地材３２は、構造物外板１１の外側面１２に、防水性能を確保しつつ後付けで防水コンセントを設けることができる。
【００４８】
したがって、本発明に係るコンセント取付構造としての実施例１のコンセント取付構造１０では、防水性を向上させて防水コンセント２０を構造物外板１１の外側面１２に設けることができる。
【００４９】
以上、本発明のコンセント取付構造およびコンセント取付方法を実施例１に基づき説明してきたが、具体的な構成については実施例１に限られるものではなく、特許請求の範囲の各請求項に係る発明の要旨を逸脱しない限り、設計の変更や追加等は許容される。
【００５０】
例えば、実施例１では、構造物外板１１としての建物の壁（その外側面１２）に防水コンセント２０を設けていたが、建物等の構造物における外側を構成する板材であれば、構造物の軒下等の下面となる外側を構成したりベランダの床等の上面となる外側を構成したりする板材でもよく、実施例１の構成に限定されない。
【００５１】
また、実施例１では、防水コンセント２０がコンセント本体２１とコンセントカバー２２と取付枠２３とを有するものとしていたが、差込プラグが設けられて防水性を有するものであればよく、実施例１の構成に限定されない。
【００５２】
さらに、引出穴１３から挿入して構造物外板１１の内側面１５に設けた裏受部材３１に、構造物外板１１を介してネジ部材（第２ネジ部材４２）で下地材３２を固定していたが、構造物外板１１（その外側面１２）に下地材３２を直接固定してもよく、他の部材に構造物外板１１を介してネジ部材で下地材３２を固定してもよく、実施例１の構成に限定されない。
【符号の説明】
【００５３】
１０  コンセント取付構造
１１  構造物外板
１２  外側面
１３  引出穴
１４  電線
１５  内側面
２０  防水コンセント
３１  裏受部材
３２  下地材
３２ｂ  挿入穴
３２ｅ  周縁部
３３  第１防水部材
３４  第２防水部材
３５  第３防水部材
４２  （ネジ部材の一例としての）第２ネジ部材
【図１】
2018038104.tif 000003
【図２】
2018038104.tif 000004
【図３】
2018038104.tif 000005
【図４】
2018038104.tif 000006
【図５】
2018038104.tif 000007
【図６】
2018038104.tif 000008
【図７】
2018038104.tif 000009
【図８】
2018038104.tif 000010
【図９】
2018038104.tif 000011